(57)【要約】【課題】より簡易な構成でより良好な特性を有する光を照射することを可能にする。【解決手段】板状部材の板面の略中央部に設けられるレンズ部と、前記板面の前記レンズ部以外の領域に設けられる平坦部と、前記平坦部及び側端部の少なくともいずれかに設けられ、内部での光の全反射を抑制する反射抑制構造と、を備える、照明レンズを提供する。【選択図】図１４
2016114659.tif 000002
【特許請求の範囲】
【請求項１】
板状部材の板面の略中央部に設けられるレンズ部と、
前記板面の前記レンズ部以外の領域に設けられる平坦部と、
前記平坦部及び側端部の少なくともいずれかに設けられ、内部での光の全反射を抑制する反射抑制構造と、
を備える、照明レンズ。
【請求項２】
前記反射抑制構造は、前記反射抑制構造に入射した光を透過し、前記照明レンズの外部に出射させる、
請求項１に記載の照明レンズ。
【請求項３】
前記反射抑制構造は、前記側端部に設けられ、前記側端部に向かうにつれて前記照明レンズの厚さが所定のテーパ角度で徐々に薄くなるテーパ構造である、
請求項２に記載の照明レンズ。
【請求項４】
前記テーパ構造における前記テーパ角度は１０度以上である、
請求項３に記載の照明レンズ。
【請求項５】
前記反射抑制構造は、前記側端部に設けられ、前記側端部に向かうにつれて前記照明レンズの厚さが所定のテーパ角度で徐々に厚くなる逆テーパ構造である、
請求項２に記載の照明レンズ。
【請求項６】
前記逆テーパ構造における前記テーパ角度は１０度以上である、
請求項５に記載の照明レンズ。
【請求項７】
前記反射抑制構造は、前記側端部に設けられ、前記側端部の端面が厚さ方向に対して所定の勾配角度だけ傾斜した勾配構造である、
請求項２に記載の照明レンズ。
【請求項８】
前記勾配構造における前記勾配角度は１０度以上である、
請求項７に記載の照明レンズ。
【請求項９】
前記反射抑制構造は、前記側端部に設けられ、前記照明レンズの厚さ方向に対して所定のプリズム角度で傾斜する凹凸構造が所定のピッチで形成されたプリズム構造である、
請求項２に記載の照明レンズ。
【請求項１０】
前記プリズム構造における前記プリズム角度は１０度以上である、
請求項９に記載の照明レンズ。
【請求項１１】
前記反射抑制構造は、前記側端部が側方に向かって突出する突出構造である、
請求項２に記載の照明レンズ。
【請求項１２】
前記反射抑制構造は、前記側端部が側方に向かって陥没する陥没構造である、
請求項２に記載の照明レンズ。
【請求項１３】
前記反射抑制構造は、前記側端部に設けられ、内部からの光を散乱させて外部に出射させる散乱構造である、
請求項２に記載の照明レンズ。
【請求項１４】
前記反射抑制構造は、前記反射抑制構造に入射した光を吸収する、
請求項１に記載の照明レンズ。
【請求項１５】
前記反射抑制構造は、前記側端部に設けられ、入射した光を吸収する吸収部材である、
請求項１４に記載の照明レンズ。
【請求項１６】
前記吸収部材は、前記照明レンズの側面に塗布される光吸収性のレジスト、前記側面に積層されるカラーフィルタ材料、及び前記側面に設けられるＮＤフィルタのいずれかである、
請求項１５に記載の照明レンズ。
【請求項１７】
前記レンズ部は、前記照明レンズの光の入射面に設けられる凸レンズと、前記照明レンズの光の出射面に設けられるフレネルレンズと、を有する、
請求項１に記載の照明レンズ。
【請求項１８】
光源及び照明レンズを有し、光源からの出射光が照明レンズ及びリアカバーを通過して外部に向かって照射されるように、前記リアカバーに対して配置される照明部と、
前記リアカバーの前記照明部が設けられる面と同一の面上に前記リアカバーに対して対物レンズが対向するように設けられるカメラユニットと、
を備え、
前記照明レンズは、
板状部材の板面の略中央部に設けられるレンズ部と、
前記板面の前記レンズ部以外の領域に設けられる平坦部と、
前記平坦部及び側端部の少なくともいずれかに設けられ内部での光の全反射を抑制する反射抑制構造と、を有する、
撮像モジュール。
【請求項１９】
撮像モジュール、を備え、
前記撮像モジュールは、
光源及び照明レンズを有し、光源からの出射光が照明レンズ及びリアカバーを透過して外部に向かって照射されるように、前記リアカバーに対して配置される照明部と、
前記リアカバーの前記照明部が設けられる面と同一の面上に前記リアカバーに対して光の対物レンズが対向するように設けられるカメラユニットと、を有し、
前記照明レンズは、
板状部材の板面の略中央部に設けられるレンズ部と、
前記板面の前記レンズ部以外の領域に設けられる平坦部と、
前記平坦部及び側端部の少なくともいずれかに設けられ内部での光の全反射を抑制する反射抑制構造と、を有する、
電子機器。
【発明の詳細な説明】
【技術分野】
【０００１】
本開示は、照明レンズ、撮像モジュール及び電子機器に関する。
【背景技術】
【０００２】
近年、スマートフォンやタブレットＰＣ等の、ユーザによって携帯される電子機器（以下、モバイル機器とも呼称する）には、静止画及び／又は動画を撮影するための撮像モジュールが搭載されているものが多い。当該撮像モジュールは、撮像機能を有するカメラユニットと、撮影用のフラッシュ光源として機能する照明部と、を有する。
【０００３】
撮像モジュールにおいて、より高品質な撮像画像を得るためには、照明部からの照射光の特性を向上させることが重要である。照射光の特性を向上させるための技術として、例えば、特許文献１には、ＬＥＤ等の光源と、当該光源からの光の出射方向に広がりながら当該出射方向を取り囲むように配置される反射部材と、当該光源からの出射光の光路上に配置される拡散部材及び集光部材と、を有するフラッシュ光源用の光源モジュールが開示されている。特許文献１に記載の技術によれば、光源からの出射光が、拡散部材及び集光部材を介して外部に照射されることにより、照射光における、光源に起因する輝度ムラ及び照度ムラの発生を抑制することが可能となる。
【先行技術文献】
【特許文献】
【０００４】
【特許文献１】特開２０１０−２３８８３７号公報
【発明の概要】
【発明が解決しようとする課題】
【０００５】
ここで、上記特許文献１に記載の光源モジュールは、光源からの光の出射方向において、反射部材、拡散部材及び集光部材がこの順に配置されて構成されているため、必ずしも簡易な構成であるとは言えない。一方、撮像モジュールが搭載されるモバイル機器には、その製造コストの低減や、更なる小型化、軽量化が求められている。従って、撮像モジュールの照明部においては、より簡易な構成でより良好な特性を有する光を照射可能な技術が求められていた。
【０００６】
そこで、本開示では、より簡易な構成でより良好な特性を有する光を照射することが可能な、新規かつ改良された照明レンズ、撮像モジュール及び電子機器を提案する。
【課題を解決するための手段】
【０００７】
本開示によれば、板状部材の板面の略中央部に設けられるレンズ部と、前記板面の前記レンズ部以外の領域に設けられる平坦部と、前記平坦部及び側端部の少なくともいずれかに設けられ、内部での光の全反射を抑制する反射抑制構造と、を備える、照明レンズが提供される。
【０００８】
また、本開示によれば、光源及び照明レンズを有し、光源からの出射光が照明レンズ及びリアカバーを通過して外部に向かって照射されるように、前記リアカバーに対して配置される照明部と、前記リアカバーの前記照明部が設けられる面と同一の面上に前記リアカバーに対して対物レンズが対向するように設けられるカメラユニットと、を備え、前記照明レンズは、板状部材の板面の略中央部に設けられるレンズ部と、前記板面の前記レンズ部以外の領域に設けられる平坦部と、前記平坦部及び側端部の少なくともいずれかに設けられ内部での光の全反射を抑制する反射抑制構造と、を有する、撮像モジュールが提供される。
【０００９】
また、本開示によれば、撮像モジュール、を備え、前記撮像モジュールは、光源及び照明レンズを有し、光源からの出射光が照明レンズ及びリアカバーを透過して外部に向かって照射されるように、前記リアカバーに対して配置される照明部と、前記リアカバーの前記照明部が設けられる面と同一の面上に前記リアカバーに対して光の対物レンズが対向するように設けられるカメラユニットと、を有し、前記照明レンズは、板状部材の板面の略中央部に設けられるレンズ部と、前記板面の前記レンズ部以外の領域に設けられる平坦部と、前記平坦部及び側端部の少なくともいずれかに設けられ内部での光の全反射を抑制する反射抑制構造と、を有する、電子機器が提供される。
【００１０】
本開示によれば、照明レンズの平坦部及び側端部の少なくともいずれかに、内部での光の全反射を抑制する反射抑制構造が設けられる。ここで、照明レンズの平坦部及び側端部での全反射を繰り返しながら当該照明レンズの内部で全反射される光は、本来の設計の意図から外れた光であり、照明レンズからの照射光の特性を低下させ得る光である。本開示では、反射抑制構造が設けられ、当該照明レンズ内での光の全反射が抑制されることにより、このような意図せぬ光の発生を抑えることができ、照明レンズからの照射光の特性を向上させることができる。また、反射抑制構造は、照明レンズの平坦部及び／又は側端部に形成可能な比較的簡易な構成であるため、本開示によれば、より簡易な構成でより良好な特性を有する光を照射することが可能になる。
【発明の効果】
【００１１】
以上説明したように本開示によれば、より簡易な構成でより良好な特性を有する光を照射することが可能になる。なお、上記の効果は必ずしも限定的なものではなく、上記の効果とともに、又は上記の効果に代えて、本明細書に示されたいずれかの効果、又は本明細書から把握され得る他の効果が奏されてもよい。
【図面の簡単な説明】
【００１２】
【図１】一般的な撮像モジュールが搭載された電子機器の一例を示す図である。
【図２】一般的な撮像モジュールの一構成例を示す図である。
【図３】フラッシュ迷光について説明するための図である。
【図４】一般的な撮像モジュールを用いた撮影においてフラッシュ迷光が撮像画像に及ぼす影響について調べるための実験環境について説明するための図である。
【図５】図４に示す実験環境における、照明部を駆動しない場合及び照明部を駆動する場合での、一般的な撮像モジュールによる撮像画像を示す図である。
【図６】フラッシュ迷光抑制構造が搭載された一般的な撮像モジュールの一構成例を示す図である。
【図７】フラッシュ迷光抑制構造が搭載された一般的な撮像モジュールの他の構成例を示す図である。
【図８】フラッシュ迷光についてより詳細に説明するための図である。
【図９】一般的な照明レンズの構造を示す斜視図である。
【図１０】一般的な照明レンズの構造を示す斜視図である。
【図１１】一般的な撮像モジュールにおける、リアカバーへの光の入射角度Ｒとカメラユニットに入射するフラッシュ迷光のエネルギーとの関連性を示すグラフ図である。
【図１２】一般的な照明レンズ内を通過する光における光線追跡シミュレーションの結果を示す図である。
【図１３】第１の実施形態に係る撮像モジュールの一構成例を示す図である。
【図１４】第１の実施形態に係る照明レンズの一構成例を示す図である。
【図１５】一般的な照明レンズの側端部近傍の構造を示す図である。
【図１６】テーパ構造を設けた場合における、カメラユニットに入射するフラッシュ迷光量を示すグラフ図である。
【図１７】第２の実施形態に係る照明レンズの一構成例を示す図である。
【図１８】逆テーパ構造を設けた場合における、カメラユニットに入射するフラッシュ迷光量を示すグラフ図である。
【図１９】第３の実施形態に係る照明レンズの一構成例を示す図である。
【図２０】勾配構造を設けた場合における、カメラユニットに入射するフラッシュ迷光量を示すグラフ図である。
【図２１】第４の実施形態に係る照明レンズの一構成例を示す図である。
【図２２】プリズム構造を設けた場合における、カメラユニットに入射するフラッシュ迷光量を示すグラフ図である。
【図２３】第５の実施形態に係る照明レンズの一構成例を示す図である。
【図２４】凸型シリンダ構造、凹型シリンダ構造、凹型三角柱構造又は凹型三角柱構造を設けた場合における、カメラユニットに入射するフラッシュ迷光量を示すグラフ図である。
【図２５】第６の実施形態に係る照明レンズの一構成例を示す図である。
【図２６】第７の実施形態に係る照明レンズの一構成例を示す図である。
【図２７】吸収部材を設けた場合における、カメラユニットに入射するフラッシュ迷光量を示すグラフ図である。
【図２８】吸収部材が設けられた照明レンズにおける配光特性を示すグラフ図である。
【発明を実施するための形態】
【００１３】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１４】
なお、説明は以下の順序で行うものとする。
１．一般的な撮像モジュールについての検討
１−１．一般的な撮像モジュールの構成
１−２．フラッシュ迷光について
１−３．一般的なフラッシュ迷光抑制構造
１−４．フラッシュ迷光に対する検討
１−５．検討結果についてのまとめ
２．第１の実施形態
２−１．撮像モジュールの構成
２−２．照明レンズの構成
３．第２の実施形態
４．第３の実施形態
５．第４の実施形態
６．第５の実施形態
７．第６の実施形態
８．第７の実施形態
９．補足
【００１５】
（１．一般的な撮像モジュールについての検討）
（１−１．一般的な撮像モジュールの構成）
本開示の好適な実施形態について説明するに先立ち、本開示をより明確なものとするために、本発明者らが既存の一般的な撮像モジュールについて検討した結果について説明するとともに、本発明者らが本開示に想到した背景について説明する。
【００１６】
図１及び図２を参照して、一般的な撮像モジュールの構成について説明する。図１は、一般的な撮像モジュールが搭載された電子機器の一例を示す図である。図２は、一般的な撮像モジュールの一構成例を示す図である。
【００１７】
図１に示すように、一般的な撮像モジュール９０は、電子機器９の筐体の隔壁に設けられる第１の開口部及び第２の開口部から、カメラユニット９１０の少なくとも一部及び照明部９６０の少なくとも一部が、後述するリアカバー９４０を介してそれぞれ露出するように、当該電子機器９の筐体内に配置される。撮像モジュール９０は、例えばスマートフォンやタブレットＰＣ等の、ユーザによって携帯される電子機器（モバイル機器）に搭載され得る。図１では、撮像モジュール９０が搭載され得る電子機器９の一例として、スマートフォンを図示している。
【００１８】
第１の開口部ではカメラユニット９１０の対物レンズが露出しており、被写体からの光は、当該第１の開口部を介して、当該対物レンズからカメラユニット９１０に入射する。被写体からの光が、当該対物レンズを介して、カメラユニット９１０の撮像素子によって受光されることにより、当該被写体の像が撮影される。なお、カメラユニット９１０の内部には、当該対物レンズ以外にも、他のレンズ等、各種の光学素子が適宜設けられてもよい。これらの光学素子を介して、被写体からの光が撮像素子に集光される。
【００１９】
照明部９６０はフラッシュ光源として機能し、フラッシュ撮影時には、第２の開口部から、照明部９６０の光源９２０からの出射光が照明レンズ９３０を介して出力される。
【００２０】
ここで、撮像モジュール９０（すなわちカメラユニット９１０及び照明部９６０）の駆動は、電子機器９に設けられる制御部によって適宜制御され得る。当該制御部は、各種のプロセッサによって構成され、当該プロセッサが所定のプログラムに従って演算処理を行うことにより、撮像モジュール９０を含む電子機器９の動作を制御する機能を有する。当該制御部からの制御に応じて、フラッシュ撮影時に、所定の時間だけ照明部９６０が駆動され、被写体に対して光源９２０からの光が照射される。
【００２１】
なお、以下の説明では、撮像モジュール９０の照明部９６０からの光の出射方向（図１における紙面に垂直な方向）をＺ軸方向と定義する。当該光の出射方向がＺ軸の正方向である。以下では、Ｚ軸方向のことを上下方向とも呼称する。また、当該Ｚ軸と垂直な平面内における互いに直交する２方向をＸ軸方向及びＹ軸方向と定義する。ここで、撮像モジュール９０においてカメラユニット９１０と照明部９６０とが並設される方向をＸ軸としている。以下では、Ｘ−Ｙ平面と平行な方向を側方とも呼称する。
【００２２】
図２では、上段に撮像モジュール９０の平面図（Ｚ軸の負方向から見た図）を図示し、下段に側面図（Ｙ軸方向から見た図）を図示している。図２を参照すると、撮像モジュール９０は、板状部材であるリアカバー９４０の一面に、カメラユニット９１０及び照明部９６０が並設されて構成される。
【００２３】
カメラユニット９１０は、その対物レンズ（すなわち光の取り入れ口（図示せず））が、リアカバー９４０に対向するように配置される。
【００２４】
照明部９６０は、光源９２０及び照明レンズ９３０から構成される。光源９２０としては、例えばＬＥＤ（Ｌｉｇｈｔ  Ｅｍｉｔｔｉｎｇ  Ｄｉｏｄｅ）等の、等方的に光を出射し得る各種の光源が用いられ得る。照明レンズ９３０は、光源９２０からの出射光を所望の配光特性に変換する機能を有する。照明レンズ９３０は、少なくとも可視光帯域の光に対して透明な材料（以下、透明材料とも呼称する）によって形成される。照明レンズ９３０は、例えば各種の樹脂材料やガラス材料等によって形成され得る。光源９２０からの出射光は、照明レンズ９３０を通過してリアカバー９４０に入射する。
【００２５】
撮像モジュール９０は、リアカバー９４０の、カメラユニット９１０及び照明部９６０が取り付けられない方の面が、電子機器９の筐体の内壁と対向するように、電子機器９内に組み付けられる。リアカバー９４０は、透明材料によって形成されており、照明部９６０からの光（すなわち光源９２０からの出射光）は、当該リアカバー９４０を通過して、電子機器９の筐体に設けられる第２の開口部から外部に向かって照射される。また、電子機器９の筐体に設けられる第１の開口部から当該筐体内に入射した光は、リアカバー９４０を通過してカメラユニット９１０に至る。
【００２６】
リアカバー９４０の、カメラユニット９１０及び照明部９６０が取り付けられる面には、カメラユニット９１０及び照明部９６０が取り付けられる領域以外に、少なくとも可視光帯域の光を反射する特性を有する反射膜９５０が設けられる。反射膜９５０は、例えば上記の反射特性を有する塗料がリアカバー９４０に塗布されることにより形成される。反射膜９５０が設けられることにより、リアカバー９４０内を導光された照明部９６０からの光や、第１及び第２の開口部から電子機器９の筐体の内部に入射した外部光が、リアカバー９４０を介して当該筐体の内部に漏れ込むことが抑制される。なお、反射膜９５０における可視光の反射率は、必ずしも１００％に近いものでなくてもよく、反射膜９５０は、可視光を僅かなりとも反射する機能を有すればよい。
【００２７】
以上、図１及び図２を参照して、一般的な撮像モジュール９０の構成について説明した。
【００２８】
（１−２．フラッシュ迷光について）
ここで、上述したように、撮像モジュール９０では、照明部９６０からの光（すなわち光源９２０からの出射光）は、リアカバー９４０を通過して、電子機器９の筐体に設けられる第２の開口部から外部に向かって照射される。このとき、照明部９６０からの光の一部の成分が、リアカバー９４０内を伝播してカメラユニット９１０に入射してしまうことがある。このような、照明部９６０からの光のうち、リアカバー９４０内を伝播する光の成分のことを、以下では、フラッシュ迷光と呼称する。
【００２９】
図３を参照して、フラッシュ迷光について説明する。図３は、フラッシュ迷光について説明するための図である。
【００３０】
図３では、図２に示す撮像モジュール９０の構成において、照明部９６０から出射された光のうち、リアカバー９４０内を伝播する光（すなわちフラッシュ迷光）を、模擬的に矢印で図示している。図示するように、照明部９６０から出射された光のうちの一部は、フラッシュ迷光として、リアカバー９４０の内部を、カメラユニット９１０に向かって伝搬され得る。
【００３１】
このとき、フレネル反射により、リアカバー９４０の上面（Ｚ軸の正方向に位置する面）において、フラッシュ迷光の一部の成分は反射し、残りの成分はリアカバー９４０から外部（空気中）に出射される。また、リアカバー９４０の下面（Ｚ軸の負方向に位置する面）には、反射膜９５０が設けられているため、当該下面においては、フラッシュ迷光の大部分が反射し得る。
【００３２】
このように、リアカバー９４０が透明材料によって形成されており、かつ、リアカバー９４０内に光を遮る構成が存在しない場合には、照明部９６０から出射された光のうちの一部は、当該リアカバー９４０の上面及び下面での反射を繰り返しながら、リアカバー９４０の内部を伝搬され、フラッシュ迷光となり得る。フラッシュ迷光は、リアカバー９４０の内部を伝播するにつれて徐々に減衰されるが、その一部は、カメラユニット９１０に入射し、その撮像画像に影響を与える可能性がある。
【００３３】
本発明者らは、撮像モジュール９０を用いた撮影において、このようなフラッシュ迷光が撮像画像に及ぼす影響について調べる実験を行った。図４に、当該実験を行った環境を示す。図４は、一般的な撮像モジュール９０を用いた撮影においてフラッシュ迷光が撮像画像に及ぼす影響について調べるための実験環境について説明するための図である。
【００３４】
当該実験では、照明部９６０から照射される光以外にカメラユニット９１０によって検出され得る光がほぼ存在しない十分暗い室内において、撮像モジュール９０によって黒色の被写体９６１を撮影した。この際、フラッシュ迷光のみを検出するために、図４に示すように、撮像モジュール９０の外部において、カメラユニット９１０と照明部９６０との間に、遮蔽板９６２を設けた。遮蔽板９６２は、撮像モジュール９０の外部に照射された照明部９６０からの出射光が被写体９６１に照射されることを妨げるように設けられる。つまり、遮蔽板９６２が設けられた状態で照明部９６０を駆動して撮影を行えば、照明部９６０からの出射光のうち、リアカバー９４０内を伝播した光（すなわちフラッシュ迷光）のみが、カメラユニット９１０に入射することとなる。
【００３５】
図４に示す実験環境において、照明部９６０を駆動しない場合及び照明部９６０を駆動する場合で、それぞれ、撮像モジュール９０によって被写体９６１の撮影を行った。結果を図５に示す。図５は、図４に示す実験環境における、照明部９６０を駆動しない場合及び照明部９６０を駆動する場合での、一般的な撮像モジュール９０による撮像画像を示す図である。
【００３６】
図５（ａ）は、照明部９６０を駆動しなかった場合における、撮像モジュール９０による撮像画像を示している。図５（ａ）を参照すると、照明部９６０を駆動しなかった場合には、一面黒色の撮像画像が得られている。
【００３７】
図５（ｂ）は、照明部９６０を駆動した場合における、撮像モジュール９０による撮像画像を示している。図５（ｂ）を参照すると、照明部９６０を駆動した場合には、撮像画像に光が漏れ込んでいることが分かる。
【００３８】
上述したように、遮蔽板９６２によって、撮像モジュール９０の外部に照射された照明部９６０からの出射光が被写体９６１に照射されることは妨げられているため、フラッシュ迷光がカメラユニット９１０に入射していなければ、照明部９６０を駆動した場合であっても、図５（ａ）のような黒色の撮像画像が得られるはずである。つまり、図５（ｂ）に示す結果は、一般的な撮像モジュール９０においては、フラッシュ迷光がカメラユニット９１０に少なからず入射しており、当該フラッシュ迷光が撮像画像に影響を及ぼし得ることを示している。フラッシュ迷光は、本来検出したい被写体からの光ではなく、意図せずカメラユニット９１０に入射する光であるため、当該フラッシュ迷光は、照明部９６０を駆動して行うフラッシュ撮影時に、撮像画像の画質を低下させる恐れがある。
【００３９】
（１−３．一般的なフラッシュ迷光抑制構造）
本発明者らによる実験結果からも明らかなように、一般的な撮像モジュール９０では、フラッシュ迷光がカメラユニット９１０に入射することにより、撮像画像の画質が低下してしまう恐れがある。そこで、フラッシュ迷光が撮像画像に与える影響を抑制するための様々な構造（以下、フラッシュ迷光抑制構造と呼称する）が、提案されている。
【００４０】
図６及び図７に、フラッシュ迷光抑制構造が搭載された既存の一般的な撮像モジュールの構成例を示す。図６は、フラッシュ迷光抑制構造が搭載された一般的な撮像モジュールの一構成例を示す図である。また、図７は、フラッシュ迷光抑制構造が搭載された一般的な撮像モジュールの他の構成例を示す図である。なお、図６及び図７に示す撮像モジュールは、図２に示す撮像モジュール９０に対してフラッシュ迷光抑制構造が追加されたものに対応するため、以下の図６及び図７に示す撮像モジュールについての説明では、撮像モジュール９０と重複する構成については、その詳細な説明は省略する。
【００４１】
図６を参照すると、一般的な撮像モジュール８０には、フラッシュ迷光抑制構造として、リアカバー９４０に設けられた開口部にカメラユニット９１０が嵌入された構造が設けられる。図６では、図３と同様に、フラッシュ迷光を矢印で模擬的に図示している。上記構造が設けられることにより、図示するように、撮像モジュール８０では、フラッシュ迷光が生じたとしても、当該フラッシュ迷光はカメラユニット９１０の対物レンズには到達しないこととなる。よって、撮像モジュール８０によれば、フラッシュ迷光が撮像画像に与える影響を低減することができる可能性がある。
【００４２】
図７を参照すると、他の構成を有する一般的な撮像モジュール８５には、フラッシュ迷光抑制構造として、リアカバー９４０の内部に遮光構造９７０が設けられる。遮光構造９７０は、例えば少なくとも照明部９６０からの出射光に対応する波長帯域の光を遮蔽する材料によって形成される板状部材であり、図示するように、リアカバー９４０の内部において、照明部９６０とカメラユニット９１０との間に設けられる。図７では、図３と同様に、フラッシュ迷光を矢印で模擬的に図示している。図示するように、撮像モジュール８５では、フラッシュ迷光が生じたとしても、当該フラッシュ迷光は、遮光構造９７０によって遮られ、カメラユニット９１０の対物レンズには到達しないこととなる。よって、撮像モジュール８５によれば、フラッシュ迷光が撮像画像に与える影響を低減することができる可能性がある。
【００４３】
以上、図６及び図７を参照して、フラッシュ迷光抑制構造が搭載された一般的な撮像モジュールのいくつかの構成例について説明した。以上説明したように、図６及び図７に示すようなフラッシュ迷光抑制構造を設けることにより、撮像画像におけるフラッシュ迷光の影響を低減できる可能性がある。
【００４４】
しかしながら、図６及び図７に示す撮像モジュール８０、８５を作製する際には、フラッシュ迷光抑制構造を設けるために、図２に示す撮像モジュール９０を作製する場合に比べて、工程数や部品点数が増加することとなるため、製造コストが増加することが懸念される。よって、フラッシュ迷光抑制構造としては、より簡易なものが望まれる。
【００４５】
ここで、より簡易なフラッシュ迷光抑制構造として、照明部９６０とカメラユニット９１０とを十分離れた位置に配置する構造が考えられる。フラッシュ迷光は、リアカバー９４０内を伝播するにつれて、徐々に減衰するため、照明部９６０とカメラユニット９１０とを十分離れた位置に配置することにより、フラッシュ迷光がカメラユニット９１０に入射したとしても、その撮像画像への影響を抑えることが可能にある。しかしながら、当該構造では、カメラユニット９１０による撮影範囲の中心と、照明部９６０による光の照射範囲の中心とが大きくずれてしまう。従って、フラッシュ迷光による撮像画像の画質の低下は抑制できたとしても、当該撮影範囲と照射範囲とのずれに起因する画質の低下を招く恐れがある。
【００４６】
（１−４．フラッシュ迷光に対する検討）
本発明者らは、以上説明した、既存の一般的な撮像モジュールに対する検討結果を踏まえて、より簡易で、かつ、他の原因による撮像画像の画質の低下を引き起こさない構成について、更なる検討を行った。本発明者らは、画質の低下を引き起こす原因であるフラッシュ迷光の振る舞いについて、より詳細に解析を行った。
【００４７】
図８〜図１０を参照して、本発明者らがフラッシュ迷光に対して行ったより詳細な検討結果について説明する。図８は、フラッシュ迷光についてより詳細に説明するための図である。図９及び図１０は、一般的な照明レンズ９３０の構造を示す斜視図である。
【００４８】
図８では、図３と同様に、一般的な撮像モジュール９０におけるフラッシュ迷光の伝播の様子を模擬的に矢印で図示している。ただし、図８では、図３よりもより詳細にリアカバー９４０内でのフラッシュ迷光の光路を示している。また、図８では、リアカバー９４０への入射角度の異なる２の光のリアカバー９４０での伝播の様子を、それぞれ、線種の異なる矢印で示している。
【００４９】
図８に示すように、光源９２０から出射された光は照明レンズ９３０を通過して、リアカバー９４０に入射する。ここで、一般的な照明レンズ９３０は、例えば図９及び図１０に示す構造を有する。図９は、一般的な照明レンズ９３０を下面側（光源９２０からの光が入射する側）から見た様子を示しており、図１０は、一般的な照明レンズ９３０を上面側（光源９２０からの光が出射する側）から見た様子を示している。
【００５０】
図９及び図１０に示すように、一般的な照明レンズ９３０は、板状部材の略中央部にレンズ部が設けられて構成される。照明レンズ９３０の、当該レンズ部以外の領域には、略平坦（すなわち厚さが略均一）な平坦部９３１が形成される。図９に示すように、照明レンズ９３０の下面のレンズ部としては、凸レンズ９３２が形成される。また、図１０に示すように、照明レンズ９３０の上面のレンズ部としては、フレネルレンズ９３３が形成される。
【００５１】
光源９２０から出射された光は、照明レンズ９３０の下面の凸レンズ９３２から当該照明レンズ９３０に入射し、照明レンズ９３０の上面のフレネルレンズ９３３から出射され、リアカバー９４０に入射する。光源９２０からの出射光が、照明レンズ９３０のレンズ部（すなわち凸レンズ９３２及びフレネルレンズ９３３）を通過することにより、当該出射光の配光特性が、所望の特性に変換される。換言すれば、照明レンズ９３０のレンズ部は、光源９２０からの出射光の配光特性を所望の特性に変換するように、その光学特性が設計される。
【００５２】
照明レンズ９３０から出射されリアカバー９４０に入射する光の振る舞いについてより詳細に検討すると、照明レンズ９３０から出射された光は、空気とリアカバー９４０との界面で、フレネル反射により、一部の成分は反射し、残りの成分はリアカバー９４０に入射する。リアカバー９４０の内部に入射した光は、リアカバー９４０の上面においてリアカバー９４０から空気中に出射される際に、フレネル反射により、一部の成分は反射されてリアカバー９４０内を伝播し、残りの成分は空気中に出射される。リアカバー９４０の下面には、反射膜９５０が設けられているため、当該下面においては、リアカバー９４０内を伝播する光の大部分が反射され得る。結果的に、照明部９６０から出射された光のうちの一部は、当該リアカバー９４０の上面及び下面での反射を繰り返しながら、リアカバー９４０の内部を導光され、フラッシュ迷光となり得る。
【００５３】
ここで、上述したように、図８では、リアカバー９４０への入射角度の異なる２の光のリアカバー９４０での伝播の様子を、それぞれ、線種の異なる矢印で示している。図示するように、入射角度がＲ１である光（破線矢印で示す光）と、入射角度がＲ２である光（実線矢印で示す光）とでは、リアカバー９４０の上面への入射角度が異なり、当該上面での反射率及び透過率も異なるものとなると考えられる。従って、照明レンズ９３０から出射された光のリアカバー９４０への入射角度Ｒと、カメラユニット９１０に入射するフラッシュ迷光の光量（エネルギー）と、の間には、何らかの関連性がある可能性がある。
【００５４】
なお、図８では、リアカバー９４０への光の入射角度Ｒを、リアカバー９４０の厚さ方向（すなわちｚ軸方向）からの角度として定義している。すなわち、入射角度Ｒが大きい光ほど、リアカバー９４０の板面と平行な方向から当該リアカバー９４０に入射する光となる。
【００５５】
本発明者らは、上述した、リアカバー９４０への光の入射角度Ｒとカメラユニット９１０に入射するフラッシュ迷光のエネルギーとの関連性について調べるために、以下の解析を行った。すなわち、本発明者らは、図８に示す構成を模擬した計算モデルを作成し、照明部９６０からリアカバー９４０に入射する光の入射角度Ｒごとに、カメラユニット９１０に入射するフラッシュ迷光のエネルギーをシミュレーションによって計算した。
【００５６】
計算結果を図１１に示す。図１１は、一般的な撮像モジュール９０における、リアカバー９４０への光の入射角度Ｒとカメラユニット９１０に入射するフラッシュ迷光のエネルギーとの関連性を示すグラフ図である。図１１では、横軸にリアカバー９４０への光の入射角度Ｒを取り、縦軸にカメラユニット９１０に入射するフラッシュ迷光のエネルギーを取り、両者の関係性をプロットしている。ただし、縦軸の値は、リアカバー９４０への入射光のエネルギーを１としたときの、カメラユニット９１０に入射したフラッシュ迷光のエネルギーの値としている。
【００５７】
図１１を参照すると、入射角度Ｒが約８０度〜９０度でリアカバー９４０に入射した場合に、カメラユニット９１０に入射するフラッシュ迷光のエネルギーがより大きくなっていることが分かる。当該結果は、カメラユニット９１０に入射するフラッシュ迷光は、リアカバー９４０への入射光のうち、リアカバー９４０への入射角度Ｒが比較的大きい成分によるものが支配的であることを示している。従って、フラッシュ迷光が撮像画像に与える影響を低減するためには、リアカバー９４０への入射光において、リアカバー９４０への入射角度Ｒが比較的大きい成分を低減すればよいと考えられる。
【００５８】
リアカバー９４０への入射角度Ｒが比較的大きい光とは、すなわち、照明レンズ９３０からの出射角度が比較的大きい光であると言える。そこで、本発明者らは、照明レンズ９３０からの出射角度が比較的大きい光の、当該照明レンズ９３０内での振る舞いについて詳細に解析を行った。なお、ここで言う照明レンズ９３０からの光の出射角度とは、照明レンズ９３０の厚さ方向（すなわちｚ軸方向）からの角度を意味している。
【００５９】
具体的には、本発明者らは、光源９２０及び照明レンズ９３０を模した計算モデルを作成し、光源９２０から出射され照明レンズ９３０を通過する光について、光線追跡シミュレーションを行った。結果を図１２に示す。図１２は、一般的な照明レンズ９３０内を通過する光における光線追跡シミュレーションの結果を示す図である。
【００６０】
図１２では、図面が煩雑になることを避けるために、光線追跡シミュレーションの結果の中から、照明レンズ９３０からの出射角度が比較的大きい一の光線のみを抽出して図示している。図１２に示すように、光線追跡シミュレーションの結果、照明レンズ９３０からの出射角度が比較的大きい光は、照明レンズ９３０の側端部及び平坦部９３１で全反射を繰り返しながら当該照明レンズ９３０内を導光された光であることが分かる。
【００６１】
（１−５．検討結果についてのまとめ）
以上、本発明者らが既存の一般的な撮像モジュール９０について検討した結果について説明した。以上説明したように、本発明者らは、一般的な撮像モジュール９０について検討した結果、以下の知見を得た。
【００６２】
図１〜図３に示すような、例えばモバイル機器である電子機器９に搭載される一般的な撮像モジュール９０では、照明部９６０からの出射光のうちの一部が、リアカバー９４０内を伝播し、カメラユニット９１０に入射してしまうことがある。本発明者らは、図４に示す環境での実験により、撮像モジュール９０においては、リアカバー９４０内を伝播した光（すなわちフラッシュ迷光）が、実際にカメラユニット９１０に入射し得ることを確かめた。フラッシュ迷光は、意図せずカメラユニット９１０に入射してしまう光であるため、図５に示すように、カメラユニット９１０によって取得される撮像画像に影響を及ぼし、当該撮像画像の画質を低下させる可能性がある。
【００６３】
フラッシュ迷光による撮像画像の画質の低下を抑制するために、例えば図６及び図７に示すような、フラッシュ迷光抑制構造が設けられた撮像モジュール８０、８５が提案されている。しかしながら、これら撮像モジュール８０、８５におけるフラッシュ迷光抑制構造を作製するためには、リアカバー９４０に対して追加の加工を行う必要があるため、製造コストが増加することが懸念される。よって、フラッシュ迷光による撮像画像の画質の低下を抑制することが可能な、より簡易な構造が求められていた。
【００６４】
そこで、本発明者らは、一般的な撮像モジュール９０におけるフラッシュ迷光について、より詳細な解析を行った。その結果、本発明者らは、リアカバー９４０への光の入射角度Ｒとカメラユニット９１０に入射するフラッシュ迷光のエネルギーとの間に、図１１に示すような関連性があることを見出した。すなわち、カメラユニット９１０に入射するフラッシュ迷光は、リアカバー９４０への入射光のうち、リアカバー９４０への入射角度Ｒが比較的大きい成分によるものが支配的であるとの知見が得られた。当該結果から、フラッシュ迷光が撮像画像に与える影響を低減するためには、リアカバー９４０への入射光において、リアカバー９４０への入射角度Ｒが比較的大きい成分を低減すればよいと考えられる。
【００６５】
そこで、本発明者らは、更に、リアカバー９４０への入射角度Ｒが比較的大きい光、すなわち、照明レンズ９３０からの出射光のうち、その出射角度が比較的大きい光の当該照明レンズ９３０内での振る舞いについて、詳細に解析した。光線追跡シミュレーションの結果、図１２に示すように、照明レンズ９３０からの出射角度が比較的大きい光は、照明レンズ９３０の側端部及び平坦部９３１で全反射を繰り返しながら当該照明レンズ９３０内を導光された光であることが解明された。
【００６６】
本発明者らは、以上の検討結果に基づいて、より簡易で、かつ、フラッシュ迷光が撮像画像に与える影響を低減することが可能な構成について鋭意検討した結果、本開示の好適な実施形態に想到した。具体的には、本開示の好適な実施形態では、照明レンズにおいて、その側端部及び／又は平坦部に、当該照明レンズの内部を導光される光の全反射を抑制する反射抑制構造が設けられる。当該反射抑制構造が設けられることにより、照明レンズの側端部及び／又は平坦部において、当該照明レンズ内を導光する光の全反射を抑制することができ、照明レンズからの出射光のうち、その出射角度が比較的大きい成分を低減することが可能となる。そして、照明レンズからの出射光のうち、その出射角度が比較的大きい成分を低減することができれば、リアカバー９４０への入射光のうち、その入射角度Ｒが比較的大きい成分を低減することができ、フラッシュ迷光による撮像画像の画質の低下を抑制することが可能となる。
【００６７】
また、反射抑制構造は、照明レンズの平坦部及び／又は側端部に形成可能な比較的簡易な構成である。従って、上述した撮像モジュール８０、８５のように大規模な工程、部材の追加を行うことなく、フラッシュ迷光による撮像画像の画質の低下を抑制することができる。
【００６８】
なお、このとき、反射抑制構造は、照明レンズの側端部及び／又は平坦部のうち、少なくとも一部領域に設けられればよい。照明レンズの内部のいずれかの部位において全反射を抑制することができれば、上述した効果を得られるからである。また、当該反射抑制構造によって、照明レンズが本来発揮すべき機能が阻害されないように、当該反射抑制構造は、レンズ部の特性に影響を与えない領域に形成され得る。
【００６９】
ここで、例えば図９及び図１０に例示するような照明レンズ９３０においては、通常は、レンズ部を通過した光が所望の特性を有するように、その材質や厚さ、レンズ部のレンズの特性等が設計される。その意味で、図１２に示すような、側端部及び平坦部９３１で全反射を繰り返しながら照明レンズ９３０内を導光される光は、本来の設計の意図とは外れた光であると言える。このような意図せぬ光は、本来想定していない挙動を示す光であるから、フラッシュ迷光による撮像画像の画質の低下だけでなく、照明レンズ９３０を介して照射される光における様々な特性を劣化させる可能性がある。実際に、例えば、図２８を参照して後述するように、当該意図せぬ光が存在することにより、光源９２０から出射され照明レンズ９３０を通過して照射される光の配光特性等は劣化しており、本実施形態に係る反射抑制構造が設けられることにより、当該配光特性が向上することが確認されている。このように、本実施形態に係る反射抑制構造は、当該反射抑制構造が設けられた照明レンズが撮像モジュールに用いられる際にフラッシュ迷光による撮像画像の画質低下を抑制する効果を奏するだけではなく、当該反射抑制構造が設けられた照明レンズを介した照射光の様々な特性を向上させる効果も奏するものである。
【００７０】
また、上述したような、照明レンズ内で全反射を繰り返しながら導光される意図せぬ光によって、当該照明レンズを介した照射光の特性が劣化する現象は、必ずしも撮像モジュール用の照明レンズに限定されるものではない。一般的に、他の用途に用いられる照明レンズであっても、上記のような本来の設計の意図とは外れた光は、当該照明レンズからの照射光の特性を劣化させる可能性が高いと言える。そこで、本実施形態に係る反射抑制構造が適用され得る照明レンズは、必ずしも撮像モジュールに搭載されるものに限定されなくてよい。より一般的に、各種のモジュールに搭載され得る照明レンズに対して本実施形態に係る反射抑制構造を適用することにより、当該照明レンズからの照射光の特性を向上させることができる。
【００７１】
以下では、本発明者らが想到した、本開示のいくつかの好適な実施形態について詳細に説明する。
【００７２】
（２．第１の実施形態）
（２−１．撮像モジュールの構成）
図１３を参照して、第１の実施形態に係る撮像モジュールの構成について説明する。図１３は、第１の実施形態に係る撮像モジュールの一構成例を示す図である。
【００７３】
図１３を参照すると、第１の実施形態に係る撮像モジュール１０は、板状部材であるリアカバー１４０の一面に、カメラユニット１１０及び照明部１６０が取り付けられて構成される。照明部１６０は、光源１２０及び照明レンズ１３０から構成される。また、リアカバー１４０の、カメラユニット１１０及び照明部１６０が取り付けられる面には、カメラユニット１１０及び照明部１６０が取り付けられる領域以外に、少なくとも可視光帯域の光を反射する特性を有する反射膜１５０が設けられる。
【００７４】
撮像モジュール１０は、図１に示す撮像モジュール９０と同様に、各種の電子機器、特にスマートフォンやタブレットＰＣ等のモバイル機器に搭載され得る。撮像モジュール１０（すなわちカメラユニット１１０及び照明部１６０）の駆動は、当該電子機器に設けられる制御部によって適宜制御され得る。当該制御部は、例えばＣＰＵ（Ｃｅｎｔｒａｌ  Ｐｒｏｃｅｓｓｉｎｇ  Ｕｎｉｔ）やＤＳＰ（Ｄｉｇｉｔａｌ  Ｓｉｇｎａｌ  Ｐｒｏｃｅｓｓｏｒ）等の各種のプロセッサや、当該プロセッサとメモリ等の記憶装置とが一体的に構成されたいわゆるマイコン等によって構成され、撮像モジュール１０を含む当該電子機器の動作を制御する機能を有する。当該プロセッサが所定のプログラムに従った演算処理を実行することにより、当該電子機器の各機能が実行される。
【００７５】
例えば、当該制御部からの制御に応じて、フラッシュ撮影時に、所定の時間だけ照明部１６０が駆動され、被写体に対して光源１２０からの光が照射される。フラッシュ撮影を行うかどうか、すなわち、照明部１６０を駆動するかどうかは、ユーザによって設定可能であってよい。なお、当該制御部による撮像モジュール１０の制御は、一般的な電子機器における撮像モジュールの駆動制御と同様であってよいため、ここでは詳細な説明は省略する。
【００７６】
カメラユニット１１０は、その対物レンズ（すなわち光の取り入れ口（図示せず））が、リアカバー１４０に対向するように配置される。また、照明部１６０は、光源１２０からの出射光が照明レンズ１３０及びリアカバー１４０を通過して外部に向かって照射されるように、当該リアカバー１４０に対して配置される。
【００７７】
光源１２０としては、例えばＬＥＤ等の、等方的に光を出射し得る各種の光源が用いられ得る。光源１２０の具体的な種類は限定されず、光源１２０としては、一般的な撮像モジュール９０の光源９２０として用いられ得る各種の光源が適用され得る。照明レンズ１３０は、透明材料によって形成される。照明レンズ１３０の具体的な材料は限定されず、照明レンズ１３０の材料としては、例えば各種の樹脂材料やガラス材料等、一般的な撮像モジュール９０の照明レンズ９３０の材料として用いられ得る各種の材料が適用され得る。
【００７８】
ここで、リアカバー１４０、カメラユニット１１０、光源１２０及び反射膜１５０の構成及び機能は、図２に示す一般的な撮像モジュール９０のリアカバー９４０、カメラユニット９１０、光源９２０及び反射膜９５０の構成及び機能と同様であってよい。つまり、第１の実施形態では、リアカバー１４０、カメラユニット１１０、光源１２０及び反射膜１５０としては、一般的な撮像モジュール９０に用いられているものと同様のものが適用されてよい。
【００７９】
第１の実施形態に係る撮像モジュール１０では、照明レンズ１３０の構成が、一般的な撮像モジュール９０と異なる。具体的には、照明レンズ１３０は、その側端部に、当該側端部に向かうにつれて所定のテーパ角度で厚さが徐々に薄くなるテーパ構造１３５が設けられる。当該テーパ構造１３５は、側端部に設けられる反射抑制構造の一例である。テーパ構造１３５を設けることにより、当該テーパ構造１３５において照明レンズ１３０内での光の全反射が抑制されるため、撮像モジュール１０におけるフラッシュ迷光による撮像画像の画質の低下を抑制することができる。
【００８０】
以下、照明レンズ１３０の構造についてより詳細に説明する。
【００８１】
（２−２．照明レンズの構成）
図１４を参照して、第１の実施形態に係る照明レンズ１３０の構成について説明する。図１４は、第１の実施形態に係る照明レンズ１３０の一構成例を示す図である。
【００８２】
なお、第１の実施形態に係る照明レンズ１３０は、その側端部に反射抑制構造の一例であるテーパ構造１３５が設けられること以外は、一般的な照明レンズ９３０と同様の構成を有する。すなわち、照明レンズ１３０は、板状部材の板面の略中央部に設けられるレンズ部と、側端部に設けられるテーパ構造１３５と、を有する。また、当該レンズ部としては、光源１２０からの出射光の配光特性を所望の特性に変換し得るように、例えば上面にはフレネルレンズ１３３が設けられ、下面には凸レンズ１３２が設けられる。従って、図１４では、照明レンズ１３０に特徴的な構成であるテーパ構造１３５について主に説明するために、照明レンズ１３０の一側端部近傍の構造のみを図示している。
【００８３】
また、図１５には、比較のため、一般的な照明レンズ９３０の一側端部近傍の構造を図示している。図１５は、一般的な照明レンズ９３０の側端部近傍の構造を示す図である。図１４及び図１５では、照明レンズ１３０、９３０内における光路を、模擬的に矢印で図示している。
【００８４】
図１５を参照すると、図１２を参照して説明したように、一般的な照明レンズ９３０では、その側端部において全反射が生じ得る。一方、図１４に示すように、第１の実施形態に係る照明レンズ１３０では、その側端部に、当該側端部に向かうにつれて所定のテーパ角度ｒ１で厚さが徐々に薄くなるテーパ構造１３５が設けられる。例えば、テーパ構造１３５は、照明レンズ１３０の側端部の全ての領域に設けられる。
【００８５】
当該テーパ構造１３５が設けられることにより、図示するように、照明レンズ１３０の側端部に入射した光の大部分が、当該テーパ構造１３５を透過して照明レンズ１３０の外部に出射されることとなるため、側端部での全反射を抑制することができる。その結果、照明レンズ１３０が搭載された撮像モジュール１０において、フラッシュ迷光による撮像画像の画質の低下を抑制することが可能になる。また、テーパ構造１３５は、照明レンズ１３０の側端部に比較的簡易な加工を施すことによって形成され得る。従って、第１の実施形態に係る照明レンズ１３０によれば、より簡易な構成で、フラッシュ迷光による撮像画像の画質の低下を抑制することが可能になる。
【００８６】
本発明者らは、テーパ構造１３５による効果を確認するために、図１３に示す撮像モジュール１０において、カメラユニット１１０に入射するフラッシュ迷光量を調べた。結果を図１６に示す。図１６は、テーパ構造１３５を設けた場合における、カメラユニット１１０に入射するフラッシュ迷光量を示すグラフ図である。
【００８７】
図１６では、横軸にテーパ構造１３５におけるテーパ角度ｒ１（図１４を参照）を取り、縦軸にカメラユニット１１０に入射するフラッシュ迷光量を取り、両者の関係性をプロットしている。また、図１６では、テーパ構造１３５におけるテーパ長さＨ（Ｘ軸方向におけるテーパ構造１３５が設けられる長さ。図１４を参照）を変化させ、各テーパ長さＨでの両者の関係性を図示している。なお、縦軸の値は、テーパ角度ｒ１が０度、すなわち、テーパ構造１３５が設けられない場合を１とした場合の相対値をプロットしている。
【００８８】
図１６を参照すると、テーパ角度ｒ１が約１０度以上の場合において、カメラユニット１１０に入射するフラッシュ迷光量が大きく低減していることが分かる。また、テーパ角度ｒ１が約３０度以上の場合において、カメラユニット１１０に入射するフラッシュ迷光量の低減量がほぼ飽和することが分かる。なお、テーパ長さＨを０．２（ｍｍ）、０．３（ｍｍ）、０．４（ｍｍ）と変更した場合であっても、上記の、カメラユニット１１０に入射するフラッシュ迷光量のテーパ角度ｒ１依存性はほぼ同様であった。以上の結果から、テーパ構造１３５においては、そのテーパ角度ｒ１が１０度以上であることが好ましく、そのテーパ角度ｒ１が３０度以上であることがより好ましい。
【００８９】
なお、図１６及び後述する図１８、図２０、図２２、図２４、図２７及び図２８に示す実験結果は、各実施形態に係る照明レンズの材料としてポリカーボネイトを用い、当該照明レンズの平坦部１３１の厚さＤを０．７（ｍｍ）としたときの結果である。ただし、図１６及び図１８、図２０、図２２、図２４、図２７及び図２８に示す実験結果は、当該照明レンズの材料としてポリカーボネイトを用いた場合のみに当てはまるものではなく、一般的に照明レンズに用いられる屈折率が約１．４〜１．７の透明材料（例えば各種の樹脂材料やガラス材料）であれば、ほぼ同様の結果を得ることができる。また、本発明者らによる解析の結果、各実施形態に係る照明レンズの平坦部１３１の厚さＤの厚さを変更した場合であっても、図１６、図１８、図２０、図２２、図２４、図２７及び図２８に示す結果をほぼ同様の結果が得られることが確認済みである。
【００９０】
以上、図１４を参照して、第１の実施形態に係る照明レンズ１３０の構成について説明した。また、図１６を参照して、第１の実施形態に係る照明レンズ１３０による、カメラユニット１１０に入射するフラッシュ迷光量の低減効果について説明した。なお、テーパ構造１３５は、照明レンズ１３０の側端部の全ての領域に設けられなくてもよく、当該側端部の一部の領域にのみ設けられてもよい。この場合であっても、当該テーパ構造１３５が設けられた部分においては、上述した全反射を抑制する効果が得られるため、カメラユニット１１０に入射するフラッシュ迷光量を低減させることができる。
【００９１】
（３．第２の実施形態）
本開示の第２の実施形態について説明する。ここで、本開示の第１の実施形態〜第７の実施形態は、いずれも、撮像モジュールの照明レンズに反射抑制構造が設けられたものであり、当該照明レンズが搭載された撮像モジュールの構成は、いずれの実施形態においても、図１３に示す撮像モジュール１０と同様である。従って、以下の第２の実施形態〜第７の実施形態についての説明では、撮像モジュールの構成についての説明は省略し、照明レンズの構成について詳細に説明する。
【００９２】
また、後述する第２の実施形態〜第７の実施形態に係る照明レンズも、第１の実施形態に係る照明レンズ１３０と同様に、その側端部に反射抑制構造が設けられること以外は、一般的な照明レンズ９３０と同様の構成を有する。従って、以下に示す図１７、図１９、図２１、図２３、図２５及び図２６においても、図１４と同様に、第２の実施形態〜第７の実施形態に係る照明レンズの側端部近傍の構造のみを図示することとする。また、これらの図においても、各実施形態に係る照明レンズ内における光路を、模擬的に矢印で図示している。
【００９３】
図１７を参照して、第２の実施形態に係る照明レンズの構成について説明する。図１７は、第２の実施形態に係る照明レンズの一構成例を示す図である。
【００９４】
図１７を参照すると、第２の実施形態に係る照明レンズ２３０は、その側端部に、当該側端部に向かうにつれて所定のテーパ角度ｒ２で厚さが徐々に厚くなる逆テーパ構造２３５が設けられる。当該逆テーパ構造２３５は、側端部に設けられる反射抑制構造の一例である。例えば、逆テーパ構造２３５は、照明レンズ２３０の側端部の全ての領域に設けられる。
【００９５】
当該逆テーパ構造２３５が設けられることにより、図示するように、照明レンズ２３０の側端部に入射した光の大部分が、当該逆テーパ構造２３５を透過して照明レンズ２３０の外部に出射されることとなるため、側端部での全反射を抑制することができる。その結果、照明レンズ２３０が搭載された撮像モジュールにおいて、フラッシュ迷光による撮像画像の画質の低下を抑制することが可能になる。また、逆テーパ構造２３５は、照明レンズ２３０の側端部に比較的簡易な加工を施すことによって形成され得る。従って、第２の実施形態に係る照明レンズ２３０によれば、より簡易な構成で、フラッシュ迷光による撮像画像の画質の低下を抑制することが可能になる。
【００９６】
本発明者らは、逆テーパ構造２３５による効果を確認するために、図１３に示す撮像モジュール１０に対して照明レンズ２３０を適用した場合における、カメラユニット１１０に入射するフラッシュ迷光量を調べた。結果を図１８に示す。図１８は、逆テーパ構造２３５を設けた場合における、カメラユニット１１０に入射するフラッシュ迷光量を示すグラフ図である。
【００９７】
図１８では、横軸に逆テーパ構造２３５におけるテーパ角度ｒ２（図１７を参照）を取り、縦軸にカメラユニット１１０に入射するフラッシュ迷光量を取り、両者の関係性をプロットしている。また、図１８では、逆テーパ構造２３５におけるテーパ長さＨ（Ｘ軸方向における逆テーパ構造２３５が設けられる長さ。図１７を参照）を変化させ、各テーパ長さＨでの両者の関係性を図示している。なお、縦軸の値は、テーパ角度ｒ２が０度、すなわち、逆テーパ構造２３５が設けられない場合を１とした場合の相対値をプロットしている。
【００９８】
図１８を参照すると、テーパ角度ｒ２が約１０度以上の場合において、カメラユニット１１０に入射するフラッシュ迷光量が大きく低減していることが分かる。また、テーパ角度ｒ２が約３０度以上の場合において、カメラユニット１１０に入射するフラッシュ迷光量の低減量がほぼ飽和することが分かる。なお、テーパ長さＨを０．２（ｍｍ）、０．３（ｍｍ）、０．４（ｍｍ）と変更した場合であっても、上記の、カメラユニット１１０に入射するフラッシュ迷光量のテーパ角度ｒ２依存性はほぼ同様であった。以上の結果から、逆テーパ構造２３５においては、そのテーパ角度ｒ２が１０度以上であることが好ましく、そのテーパ角度ｒ２が３０度以上であることがより好ましい。
【００９９】
以上、図１７を参照して、第２の実施形態に係る照明レンズ２３０の構成について説明した。また、図１８を参照して、第２の実施形態に係る照明レンズ２３０による、カメラユニット１１０に入射するフラッシュ迷光量の低減効果について説明した。なお、逆テーパ構造２３５は、照明レンズ２３０の側端部の全ての領域に設けられなくてもよく、当該側端部の一部の領域にのみ設けられてもよい。この場合であっても、当該逆テーパ構造２３５が設けられた部分においては、上述した全反射を抑制する効果が得られるため、カメラユニット１１０に入射するフラッシュ迷光量を低減させることができる。
【０１００】
（４．第３の実施形態）
図１９を参照して、第３の実施形態に係る照明レンズの構成について説明する。図１９は、第３の実施形態に係る照明レンズの一構成例を示す図である。
【０１０１】
図１９を参照すると、第３の実施形態に係る照明レンズ３３０は、その側端部に、当該側端部の端面が厚さ方向に対して所定の勾配角度ｒ３だけ傾斜した勾配構造３３５が設けられる。当該勾配構造３３５は、側端部に設けられる反射抑制構造の一例である。例えば、勾配構造３３５は、照明レンズ３３０の側端部の全ての領域に設けられる。
【０１０２】
当該勾配構造３３５が設けられることにより、図示するように、照明レンズ３３０の側端部に入射した光の大部分が、当該勾配構造３３５を透過して照明レンズ３３０の外部に出射されることとなるため、側端部での全反射を抑制することができる。その結果、照明レンズ３３０が搭載された撮像モジュールにおいて、フラッシュ迷光による撮像画像の画質の低下を抑制することが可能になる。また、勾配構造３３５は、照明レンズ３３０の側端部に比較的簡易な加工を施すことによって形成され得る。従って、第３の実施形態に係る照明レンズ３３０によれば、より簡易な構成で、フラッシュ迷光による撮像画像の画質の低下を抑制することが可能になる。
【０１０３】
本発明者らは、勾配構造３３５による効果を確認するために、図１３に示す撮像モジュール１０に対して照明レンズ３３０を適用した場合における、カメラユニット１１０に入射するフラッシュ迷光量を調べた。結果を図２０に示す。図２０は、勾配構造３３５を設けた場合における、カメラユニット１１０に入射するフラッシュ迷光量を示すグラフ図である。
【０１０４】
図２０では、横軸に勾配構造３３５における勾配角度ｒ３（厚さ方向に対する端面の傾斜角度。図１９を参照）を取り、縦軸にカメラユニット１１０に入射するフラッシュ迷光量を取り、両者の関係性をプロットしている。なお、縦軸の値は、勾配角度ｒ３が０度、すなわち、勾配構造３３５が設けられない場合を１とした場合の相対値をプロットしている。
【０１０５】
図２０を参照すると、勾配角度ｒ３が約１０度以上の場合において、カメラユニット１１０に入射するフラッシュ迷光量が大きく低減していることが分かる。当該結果から、勾配構造３３５においては、その勾配角度ｒ３が１０度以上であることが好ましい。
【０１０６】
以上、図１９を参照して、第３の実施形態に係る照明レンズ３３０の構成について説明した。また、図２０を参照して、第３の実施形態に係る照明レンズ３３０による、カメラユニット１１０に入射するフラッシュ迷光量の低減効果について説明した。なお、勾配構造３３５は、照明レンズ３３０の側端部の全ての領域に設けられなくてもよく、当該側端部の一部の領域にのみ設けられてもよい。この場合であっても、当該勾配構造３３５が設けられた部分においては、上述した全反射を抑制する効果が得られるため、カメラユニット１１０に入射するフラッシュ迷光量を低減させることができる。
【０１０７】
（５．第４の実施形態）
図２１を参照して、第４の実施形態に係る照明レンズの構成について説明する。図２１は、第４の実施形態に係る照明レンズの一構成例を示す図である。
【０１０８】
図２１を参照すると、第４の実施形態に係る照明レンズ４３０は、その側端部に、厚さ方向に所定のピッチで凹凸構造が形成されたプリズム構造４３５が設けられる。当該プリズム構造４３５は、側端部に設けられる反射抑制構造の一例である。プリズム構造４３５は、厚さ方向に対して所定の角度（プリズム角度ｒ４）だけ傾斜する凹凸構造（段差構造）が所定のピッチｐで設けられることにより形成される。例えば、プリズム構造４３５は、照明レンズ４３０の側端部の全ての領域に設けられる。
【０１０９】
当該プリズム構造４３５が設けられることにより、図示するように、照明レンズ４３０の側端部に入射した光の大部分が、当該プリズム構造４３５を透過して照明レンズ４３０の外部に出射されることとなるため、側端部での全反射を抑制することができる。その結果、照明レンズ４３０が搭載された撮像モジュールにおいて、フラッシュ迷光による撮像画像の画質の低下を抑制することが可能になる。また、プリズム構造４３５は、照明レンズ４３０の側端部に比較的簡易な加工を施すことによって形成され得る。従って、第４の実施形態に係る照明レンズ４３０によれば、より簡易な構成で、フラッシュ迷光による撮像画像の画質の低下を抑制することが可能になる。
【０１１０】
本発明者らは、プリズム構造４３５による効果を確認するために、図１３に示す撮像モジュール１０に対して照明レンズ４３０を適用した場合における、カメラユニット１１０に入射するフラッシュ迷光量を調べた。結果を図２２に示す。図２２は、プリズム構造４３５を設けた場合における、カメラユニット１１０に入射するフラッシュ迷光量を示すグラフ図である。
【０１１１】
図２２では、横軸にプリズム構造４３５におけるプリズム角度ｒ４（図２１を参照）を取り、縦軸にカメラユニット１１０に入射するフラッシュ迷光量を取り、両者の関係性をプロットしている。なお、縦軸の値は、プリズム角度ｒ４が０度、すなわち、プリズム構造４３５が設けられない場合を１とした場合の相対値をプロットしている。また、図２２では、一例として、プリズム構造４３５における凹凸構造のピッチｐが０．０７（ｍｍ）である場合における結果を示している。
【０１１２】
図２２を参照すると、プリズム角度ｒ４が約１０度以上の場合において、カメラユニット１１０に入射するフラッシュ迷光量が大きく低減していることが分かる。また、プリズム角度ｒ４が約３０度以上の場合において、カメラユニット１１０に入射するフラッシュ迷光量の低減量がほぼ飽和することが分かる。以上の結果から、プリズム構造４３５においては、そのプリズム角度ｒ４が１０度以上であることが好ましく、そのプリズム角度ｒ４が３０度以上であることがより好ましい。
【０１１３】
以上、図２１を参照して、第４の実施形態に係る照明レンズ４３０の構成について説明した。また、図２２を参照して、第４の実施形態に係る照明レンズ４３０による、カメラユニット１１０に入射するフラッシュ迷光量の低減効果について説明した。なお、プリズム構造４３５は、照明レンズ４３０の側端部の全ての領域に設けられなくてもよく、当該側端部の一部の領域にのみ設けられてもよい。この場合であっても、当該プリズム構造４３５が設けられた部分においては、上述した全反射を抑制する効果が得られるため、カメラユニット１１０に入射するフラッシュ迷光量を低減させることができる。
【０１１４】
（６．第５の実施形態）
本開示の第５の実施形態について説明する。ここで、以上説明した第１の実施形態〜第４の実施形態は、いずれも、反射抑制構造として、照明レンズ１３０、２３０、３３０、４３０の側端部の形状を一般的な形状から変更したものであった。ただし、反射抑制構造として機能し得る側端部の形状は、第１の実施形態〜第４の実施形態に示したものに限定されず、他の形状であってもよい。第５の実施形態では、このような、第１の実施形態〜第４の実施形態とは異なる、反射抑制構造として機能し得る側端部の形状を有する照明レンズについて説明する。
【０１１５】
図２３を参照して、第５の実施形態に係る照明レンズの構成について説明する。図２３は、第５の実施形態に係る照明レンズの一構成例を示す図である。
【０１１６】
図２３では、第５の実施形態に係る照明レンズとして、互いに異なる形状の反射抑制構造を有する４種類の照明レンズ５３０ａ、５３０ｂ、５３０ｃ、５３０ｄを図示している。図２３（ａ）を参照すると、照明レンズ５３０ａは、その側端部に、側方に向かって円弧状に突出する突出構造５３５ａ（以下、凸型シリンダ構造５３５ａとも呼称する）を有する。図２３（ｂ）を参照すると、照明レンズ５３０ｂは、その側端部に、側方に向かって円弧状に陥没する陥没構造５３５ｂ（以下、凹型シリンダ構造５３５ｂとも呼称する）を有する。
【０１１７】
図２３（ｃ）を参照すると、照明レンズ５３０ｃは、その側端部に、側方に向かってくさび状に突出する突出構造５３５ｃ（以下、凸型三角柱構造５３５ｃとも呼称する）を有する。図２３（ｄ）を参照すると、照明レンズ５３０ｄは、その側端部に、側方に向かってくさび状に陥没する陥没構造５３５ｄ（以下、凹型三角柱構造５３５ｄとも呼称する）を有する。これら、凸型シリンダ構造５３５ａ、凹型シリンダ構造５３５ｂ、凸型三角柱構造５３５ｃ及び凹型三角柱構造５３５ｄは、いずれも、側端部に設けられる反射抑制構造の一例である。例えば、凸型シリンダ構造５３５ａ、凹型シリンダ構造５３５ｂ、凸型三角柱構造５３５ｃ及び凹型三角柱構造５３５ｄは、照明レンズ５３０ａ、５３０ｂ、５３０ｃ、５３０ｄの側端部の全ての領域に、それぞれ設けられる。
【０１１８】
凸型シリンダ構造５３５ａ、凹型シリンダ構造５３５ｂ、凸型三角柱構造５３５ｃ又は凹型三角柱構造５３５ｄが設けられることにより、照明レンズ５３０ａ、５３０ｂ、５３０ｃ、５３０ｄの側端部に入射した光の大部分が、当該凸型シリンダ構造５３５ａ、凹型シリンダ構造５３５ｂ、凸型三角柱構造５３５ｃ又は凹型三角柱構造５３５ｄを透過して、照明レンズ５３０ａ、５３０ｂ、５３０ｃ、５３０ｄの外部に出射されることとなるため、側端部での全反射を抑制することができる。その結果、照明レンズ５３０ａ、５３０ｂ、５３０ｃ、５３０ｄが搭載された撮像モジュールにおいて、フラッシュ迷光による撮像画像の画質の低下を抑制することが可能になる。また、凸型シリンダ構造５３５ａ、凹型シリンダ構造５３５ｂ、凸型三角柱構造５３５ｃ及び凹型三角柱構造５３５ｄは、それぞれ、照明レンズ５３０ａ、５３０ｂ、５３０ｃ、５３０ｄの側端部に比較的簡易な加工を施すことによって形成され得る。従って、第５の実施形態に係る照明レンズ５３０ａ、５３０ｂ、５３０ｃ、５３０ｄによれば、より簡易な構成で、フラッシュ迷光による撮像画像の画質の低下を抑制することが可能になる。
【０１１９】
本発明者らは、凸型シリンダ構造５３５ａ、凹型シリンダ構造５３５ｂ、凸型三角柱構造５３５ｃ又は凹型三角柱構造５３５ｄによる効果を確認するために、図１３に示す撮像モジュール１０に対して照明レンズ５３０ａ、５３０ｂ、５３０ｃ、５３０ｄを適用した場合における、カメラユニット１１０に入射するフラッシュ迷光量を調べた。結果を図２４に示す。図２４は、凸型シリンダ構造５３５ａ、凹型シリンダ構造５３５ｂ、凸型三角柱構造５３５ｃ又は凹型三角柱構造５３５ｄを設けた場合における、カメラユニット１１０に入射するフラッシュ迷光量を示すグラフ図である。
【０１２０】
図２４では、縦軸にカメラユニット１１０に入射するフラッシュ迷光量を取り、反射抑制構造が設けられない一般的な照明レンズ９３０と、凸型シリンダ構造５３５ａが設けられた照明レンズ５３０ａと、凹型シリンダ構造５３５ｂが設けられた照明レンズ５３０ｂと、凸型三角柱構造５３５ｃが設けられた照明レンズ５３０ｃと、凹型三角柱構造５３５ｄが設けられた照明レンズ５３０ｄと、のそれぞれについての、カメラユニット１１０に入射するフラッシュ迷光量をプロットしている。なお、縦軸の値は、一般的な照明レンズ９３０についての値を１とした場合の相対値をプロットしている。
【０１２１】
図中の（ａ）、（ｂ）、（ｃ）、（ｄ）は、図２３に示す（ａ）、（ｂ）、（ｃ）、（ｄ）に対応している。すなわち、（ａ）は凸型シリンダ構造５３５ａが設けられた照明レンズ５３０ａについての結果を示しており、（ｂ）は凹型シリンダ構造５３５ｂが設けられた照明レンズ５３０ｂについての結果を示しており、（ｃ）は凸型三角柱構造５３５ｃが設けられた照明レンズ５３０ｃについての結果を示しており、（ｄ）は凹型三角柱構造５３５ｄが設けられた照明レンズ５３０ｄについての結果を示している。
【０１２２】
図２４を参照すると、反射抑制構造として、凸型シリンダ構造５３５ａ、凹型シリンダ構造５３５ｂ、凸型三角柱構造５３５ｃ及び凹型三角柱構造５３５ｄのいずれの構造を設けた場合であっても、反射抑制構造が設けられない場合に比べて、カメラユニット１１０に入射するフラッシュ迷光量が大きく低減していることが分かる。
【０１２３】
ここで、凸型シリンダ構造５３５ａ、凹型シリンダ構造５３５ｂ、凸型三角柱構造５３５ｃ及び凹型三角柱構造５３５ｄは、いずれも、照明レンズ５３０ａ、５３０ｂ、５３０ｃ、５３０ｄの側面が板面に対して垂直になっていない構造である。図２４に示す結果は、側端部に、側面が板面に対して垂直とならないような突出構造や陥没構造を形成することにより、照明レンズ５３０ａ、５３０ｂ、５３０ｃ、５３０ｄ内での光の全反射を抑制することができ、カメラユニット１１０に入射するフラッシュ迷光量を低減することが可能となることを示している。また、図２４に示す結果は、カメラユニット１１０に入射するフラッシュ迷光量を低減させる効果を奏するための、当該突出構造及び当該陥没構造の具体的な形状は、一意に限定されるものではなく、任意に設定可能であることを示している。
【０１２４】
以上、図２３を参照して、第５の実施形態に係る照明レンズ５３０ａ、５３０ｂ、５３０ｃ、５３０ｄの構成について説明した。また、図２４を参照して、第５の実施形態に係る照明レンズ５３０ａ、５３０ｂ、５３０ｃ、５３０ｄによる、カメラユニット１１０に入射するフラッシュ迷光量の低減効果について説明した。なお、凸型シリンダ構造５３５ａ、凹型シリンダ構造５３５ｂ、凸型三角柱構造５３５ｃ及び凹型三角柱構造５３５ｄは、それぞれ、照明レンズ５３０ａ、５３０ｂ、５３０ｃ、５３０ｄの側端部の全ての領域に設けられなくてもよく、当該側端部の一部の領域にのみ設けられてもよい。この場合であっても、当該凸型シリンダ構造５３５ａ、凹型シリンダ構造５３５ｂ、凸型三角柱構造５３５ｃ又は凹型三角柱構造５３５ｄが設けられた部分においては、上述した全反射を抑制する効果が得られるため、カメラユニット１１０に入射するフラッシュ迷光量を低減させることができる。
【０１２５】
（７．第６の実施形態）
図２５を参照して、第６の実施形態に係る照明レンズの構成について説明する。図２５は、第６の実施形態に係る照明レンズの一構成例を示す図である。
【０１２６】
図２５を参照すると、第６の実施形態に係る照明レンズ６３０は、その側端部に、内部からの光を散乱させて外部に出射させる散乱構造６３５が設けられる。当該散乱構造６３５は、側端部に設けられる反射抑制構造の一例である。例えば、散乱構造６３５は、照明レンズ６３０の側端部の全ての領域に設けられる。
【０１２７】
散乱構造６３５は、例えば、照明レンズ６３０の側面に微小な凹凸を形成したり、照明レンズ６３０の側面に白色のインクを薄く塗布したりすることにより実現される。ただし、散乱構造６３５の具体的な構造はかかる例に限定されず、他の構造によって散乱構造６３５が実現されてもよい。
【０１２８】
当該散乱構造６３５が設けられることにより、図示するように、照明レンズ６３０の側面に入射した光の大部分が、当該散乱構造６３５において散乱され、照明レンズ６３０の外部に出射されることとなるため、側端部での全反射を抑制することができる。その結果、照明レンズ６３０が搭載された撮像モジュールにおいて、フラッシュ迷光による撮像画像の画質の低下を抑制することが可能になる。また、散乱構造６３５は、照明レンズ６３０の側端部に比較的簡易な加工を施すことによって形成され得る。従って、第６の実施形態に係る照明レンズ６３０によれば、より簡易な構成で、フラッシュ迷光による撮像画像の画質の低下を抑制することが可能になる。
【０１２９】
以上、図２５を参照して、第６の実施形態に係る照明レンズ６３０の構成について説明した。なお、散乱構造６３５は、照明レンズ６３０の側端部の全ての領域に設けられなくてもよく、当該側端部の一部の領域にのみ設けられてもよい。この場合であっても、当該散乱構造６３５が設けられた部分においては、上述した全反射を抑制する効果が得られるため、カメラユニット１１０に入射するフラッシュ迷光量を低減させることができる。
【０１３０】
（８．第７の実施形態）
本開示の第７の実施形態について説明する。ここで、以上説明した第１の実施形態〜第６の実施形態は、いずれも、反射抑制構造として、照明レンズ１３０、２３０、３３０、４３０、５３０ａ、５３０ｂ、５３０ｃ、５３０ｄ、６３０の内部から外部に向かって光を透過させ、当該光を外部に向かって出射させることにより全反射を抑制するものであった。ただし、反射抑制構造は、このような光を透過させるものに限定されず、例えば光を吸収することにより全反射を抑制するものであってもよい。第７の実施形態では、このような、第１の実施形態〜第６の実施形態とは異なる機能により全反射を抑制する反射抑制構造の一構成例について説明する。
【０１３１】
図２６を参照して、第７の実施形態に係る照明レンズの構成について説明する。図２６は、第７の実施形態に係る照明レンズの一構成例を示す図である。
【０１３２】
図２６を参照すると、第７の実施形態に係る照明レンズ７３０は、その側端部に、入射した光を吸収する吸収部材７３５が設けられる。当該吸収部材７３５は、側端部に設けられる反射抑制構造の一例である。例えば、吸収部材７３５は、照明レンズ７３０の側端部の全ての領域に設けられる。
【０１３３】
吸収部材７３５は、例えば、照明レンズ７３０の側面に塗布される光吸収性のレジストである。ただし、吸収部材７３５の具体的な構成はかかる例に限定されず、吸収部材７３５は、例えば、遮光テープや、カラーフィルタに用いられる材料を１層以上塗布したもの、ＮＤ（Ｎｅｕｔｒａｌ  Ｄｅｎｓｉｔｙ）フィルタ等であってもよい。
【０１３４】
当該吸収部材７３５が設けられることにより、図示するように、照明レンズ７３０の側面に入射した光の大部分が、当該吸収部材７３５において吸収されるため、側端部での全反射を抑制することができる。その結果、照明レンズ７３０が搭載された撮像モジュールにおいて、フラッシュ迷光による撮像画像の画質の低下を抑制することが可能になる。また、吸収部材７３５は、照明レンズ７３０の側端部に比較的簡易な加工を施すことによって形成され得る。従って、第７の実施形態に係る照明レンズ７３０によれば、より簡易な構成で、フラッシュ迷光による撮像画像の画質の低下を抑制することが可能になる。
【０１３５】
本発明者らは、吸収部材７３５による効果を確認するために、図１３に示す撮像モジュール１０に対して照明レンズ７３０を適用した場合における、カメラユニット１１０に入射するフラッシュ迷光量を調べた。結果を図２７に示す。図２７は、吸収部材７３５を設けた場合における、カメラユニット１１０に入射するフラッシュ迷光量を示すグラフ図である。
【０１３６】
図２７では、縦軸にカメラユニット１１０に入射するフラッシュ迷光量を取り、反射抑制構造が設けられない一般的な照明レンズ９３０と、吸収部材７３５が設けられた照明レンズ７３０と、のそれぞれについての、カメラユニット１１０に入射するフラッシュ迷光量をプロットしている。なお、縦軸の値は、一般的な照明レンズ９３０についての値を１とした場合の相対値をプロットしている。
【０１３７】
図２７を参照すると、反射抑制構造として吸収部材７３５を設けることにより、反射抑制構造が設けられない場合に比べて、カメラユニット１１０に入射するフラッシュ迷光量が大きく低減していることが分かる。
【０１３８】
ここで、本発明者らは、更に、吸収部材７３５が設けられた照明レンズ７３０における配光特性について調べた。結果を図２８に示す。図２８は、吸収部材７３５が設けられた照明レンズ７３０における配光特性を示すグラフ図である。
【０１３９】
図２８では、所定の光源からの出射光を照明レンズ７３０を介して照射した際の照射光の放射角度を横軸に取り、当該照射光の規格化輝度を縦軸に取り、両者の関係性をプロットしている。また、図２８では、比較のため、反射抑制構造が設けられない一般的な照明レンズ９３０を用いた場合における規格化輝度を併せてプロットしている。
【０１４０】
図２８を参照すると、吸収部材７３５が設けられた照明レンズ７３０においては、一般的な照明レンズ９３０に比べて、配光特性が滑らかになっており、照射光のムラがより低減されていることが分かる。当該結果は、照明レンズ７３０を用いることにより、被写体に対してより自然なフラッシュ光を照射することが可能になることを示している。
【０１４１】
なお、図２８では、一例として、第７の実施形態に係る照明レンズ７３０を用いた場合における配光特性について示したが、第１の実施形態〜第６の実施形態に係る照明レンズ１３０〜６３０を用いた場合であっても、同様の配光特性の向上効果が得られると考えられる。何故ならば、一般的な照明レンズ９３０の配光特性を劣化させている原因の一つは、照明レンズ９３０の側端部及び平坦部９３１で全反射を繰り返しながら当該照明レンズ９３０内を導光された、本来の設計の意図とは外れた光であると考えられるため、照明レンズ１３０〜７３０のように反射抑制構造を有する照明レンズであれば、いずれの照明レンズを用いた場合であっても、図２８に示すものと同様の配光特性の向上効果が得られると考えられるからである。
【０１４２】
以上、図２６を参照して、第７の実施形態に係る照明レンズ７３０の構成について説明した。また、図２７及び図２８を参照して、第７の実施形態に係る照明レンズ７３０による、カメラユニット１１０に入射するフラッシュ迷光量の低減効果、及び配光特性について、それぞれ説明した。なお、吸収部材７３５は、照明レンズ７３０の側端部の全ての領域に設けられなくてもよく、当該側端部の一部の領域にのみ設けられてもよい。この場合であっても、当該吸収部材７３５が設けられた部分においては、上述した全反射を抑制する効果が得られるため、カメラユニット１１０に入射するフラッシュ迷光量を低減させることができる。
【０１４３】
（９．補足）
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０１４４】
また、本明細書に記載された効果は、あくまで説明的又は例示的なものであって限定的なものではない。つまり、本開示に係る技術は、上記の効果とともに、又は上記の効果に代えて、本明細書の記載から当業者には明らかな他の効果を奏し得る。
【０１４５】
例えば、以上説明した第１の実施形態〜第７の実施形態では、側端部に反射抑制構造が設けられる場合について説明したが、本開示はかかる例に限定されない。例えば、反射抑制構造は、照明レンズ１３０〜７３０の平坦部１３１に設けられてもよい。本開示によれば、照明レンズ１３０〜７３０における、平坦部１３１又は側端部での全反射を抑制することができれば、以上説明した効果と同様の効果を得ることができる。また、反射抑制構造は、平坦部１３１の全ての領域、及び／又は側端部の全ての領域に設けられなくてもよく、平坦部１３１の一部の領域、及び／又は側端部の一部の領域にのみ設けられてもよい。
【０１４６】
また、反射抑制構造の具体的な構成は、以上説明した第１の実施形態〜第７の実施形態に示す例に限定されない。反射抑制構造は、照明レンズ１３０〜７３０の内部での光の全反射を抑制する構造であればよく、その具体的な構造は、各種の任意の構造であってよい。
【０１４７】
また、以上説明した第１の実施形態〜第７の実施形態では、照明レンズ１３０〜７３０は、撮像モジュール１０のフラッシュ撮影用のレンズとして用いられていたが、本開示はかかる例に限定されない。上記（１−５．検討結果についてのまとめ）で説明したように、一般的な照明レンズ９３０において、当該照明レンズ９３０の側端部及び平坦部９３１で全反射を繰り返しながら当該照明レンズ９３０内を導光された光は、本来の設計の意図とは外れた光であり、このような光は、照明レンズ９３０からの照射光の光学特性を劣化させる恐れがある。このような現象は、必ずしも撮像モジュール用の照明レンズに限定されるものではなく、他の用途に用いられる照明レンズであっても、本来の設計の意図とは外れた光は、当該照明レンズからの照射光の特性を劣化させる可能性が高いと言える。本開示に係る照明レンズは、照明レンズの側端部及び／又は平坦部に、照明レンズ内での光の全反射を抑制するための反射抑制構造を設けることにより、このような意図せぬ光が照明レンズの特性に与える影響を低減させるものであるため、本開示によれば、照明レンズの用途に限定されず、当該照明レンズからの照射光の特性を向上させることが可能となる。
【０１４８】
また、以上説明した第１の実施形態〜第７の実施形態では、照明レンズ１３０〜７３０が、撮像モジュール１０のフラッシュ撮影用のレンズとして用いられていたために、その下面には凸レンズ１３２が形成され、その上面にはフレネルレンズ１３３が形成されていたが、本開示はかかる例に限定されない。本開示に係る照明レンズのレンズ部に設けられるレンズの具体的な種類は、当該照明レンズの用途に応じて適宜変更されてよい。照明レンズの側端部及び／又は平坦部における全反射を抑制することにより当該照明レンズの特性が向上する効果は、レンズの種類によらず同様に得られるものである。従って、本開示によれば、照明レンズに設けられる具体的なレンズの形状に限定されず、当該照明レンズの特性を向上させることが可能となる。
【０１４９】
また、上記第１の実施形態〜第７の実施形態で説明した反射抑制構造のそれぞれは、可能な範囲で互いに組み合わされてもよい。例えば、テーパ構造１３５、逆テーパ構造２３５、勾配構造３３５、プリズム構造４３５、凸型シリンダ構造５３５ａ、凹型シリンダ構造５３５ｂ、凸型三角柱構造５３５ｃ又は凹型三角柱構造５３５ｄの外表面に対して、散乱構造６３５又は吸収部材７３５が設けられてもよい。このように、複数の互いに異なる種類の構成が組み合わされて反射抑制構造が形成されることにより、当該反射抑制構造における全反射の抑制効果をより向上させることができる。
【０１５０】
なお、以下のような構成も本開示の技術的範囲に属する。
（１）板状部材の板面の略中央部に設けられるレンズ部と、前記板面の前記レンズ部以外の領域に設けられる平坦部と、前記平坦部及び側端部の少なくともいずれかに設けられ、内部での光の全反射を抑制する反射抑制構造と、を備える、照明レンズ。
（２）前記反射抑制構造は、前記反射抑制構造に入射した光を透過し、前記照明レンズの外部に出射させる、前記（１）に記載の照明レンズ。
（３）前記反射抑制構造は、前記側端部に設けられ、前記側端部に向かうにつれて前記照明レンズの厚さが所定のテーパ角度で徐々に薄くなるテーパ構造である、前記（２）に記載の照明レンズ。
（４）前記テーパ構造における前記テーパ角度は１０度以上である、前記（３）に記載の照明レンズ。
（５）前記反射抑制構造は、前記側端部に設けられ、前記側端部に向かうにつれて前記照明レンズの厚さが所定のテーパ角度で徐々に厚くなる逆テーパ構造である、前記（２）に記載の照明レンズ。
（６）前記逆テーパ構造における前記テーパ角度は１０度以上である、前記（５）に記載の照明レンズ。
（７）前記反射抑制構造は、前記側端部に設けられ、前記側端部の端面が厚さ方向に対して所定の勾配角度だけ傾斜した勾配構造である、前記（２）に記載の照明レンズ。
（８）前記勾配構造における前記勾配角度は１０度以上である、前記（７）に記載の照明レンズ。
（９）前記反射抑制構造は、前記側端部に設けられ、前記照明レンズの厚さ方向に対して所定のプリズム角度で傾斜する凹凸構造が所定のピッチで形成されたプリズム構造である、前記（２）に記載の照明レンズ。
（１０）前記プリズム構造における前記プリズム角度は１０度以上である、前記（９）に記載の照明レンズ。
（１１）前記反射抑制構造は、前記側端部が側方に向かって突出する突出構造である、前記（２）に記載の照明レンズ。
（１２）前記反射抑制構造は、前記側端部が側方に向かって陥没する陥没構造である、前記（２）に記載の照明レンズ。
（１３）前記反射抑制構造は、前記側端部に設けられ、内部からの光を散乱させて外部に出射させる散乱構造である、前記（２）〜（１２）のいずれか１項に記載の照明レンズ。
（１４）前記反射抑制構造は、前記反射抑制構造に入射した光を吸収する、前記（１）〜（１３）のいずれか１項に記載の照明レンズ。
（１５）前記反射抑制構造は、前記側端部に設けられ、入射した光を吸収する吸収部材である、前記（１４）に記載の照明レンズ。
（１６）前記吸収部材は、前記照明レンズの側面に塗布される光吸収性のレジスト、前記側面に積層されるカラーフィルタ材料、及び前記側面に設けられるＮＤフィルタのいずれかである、前記（１５）に記載の照明レンズ。
（１７）前記レンズ部は、前記照明レンズの光の入射面に設けられる凸レンズと、前記照明レンズの光の出射面に設けられるフレネルレンズと、を有する、前記（１）〜（１６）のいずれか１項に記載の照明レンズ。
（１８）光源及び照明レンズを有し、光源からの出射光が照明レンズ及びリアカバーを通過して外部に向かって照射されるように、前記リアカバーに対して配置される照明部と、前記リアカバーの前記照明部が設けられる面と同一の面上に前記リアカバーに対して対物レンズが対向するように設けられるカメラユニットと、を備え、前記照明レンズは、板状部材の板面の略中央部に設けられるレンズ部と、前記板面の前記レンズ部以外の領域に設けられる平坦部と、前記平坦部及び側端部の少なくともいずれかに設けられ内部での光の全反射を抑制する反射抑制構造と、を有する、撮像モジュール。
（１９）撮像モジュール、を備え、前記撮像モジュールは、光源及び照明レンズを有し、光源からの出射光が照明レンズ及びリアカバーを透過して外部に向かって照射されるように、前記リアカバーに対して配置される照明部と、前記リアカバーの前記照明部が設けられる面と同一の面上に前記リアカバーに対して光の対物レンズが対向するように設けられるカメラユニットと、を有し、前記照明レンズは、板状部材の板面の略中央部に設けられるレンズ部と、前記板面の前記レンズ部以外の領域に設けられる平坦部と、前記平坦部及び側端部の少なくともいずれかに設けられ内部での光の全反射を抑制する反射抑制構造と、を有する、電子機器。
【符号の説明】
【０１５１】
１０、９０  撮像モジュール
１１０、１９０    カメラユニット
１２０、９２０    光源
１３０、２３０、３３０、４３０、５３０ａ、５３０ｂ、５３０ｃ、５３０ｄ、６３０、７３０、９３０    照明レンズ
１４０、９４０    リアカバー
１５０、９５０    反射膜
１６０、９６０    照明部
１３５    テーパ構造
２３５    逆テーパ構造
３３５    勾配構造
４３５    プリズム構造
５３５ａ    凸型シリンダ構造
５３５ｂ    凹型シリンダ構造
５３５ｃ    凸型三角柱構造
５３５ｄ    凹型三角柱構造
６３５    散乱構造
７３５    吸収部材
【図１】
2016114659.tif 000003
【図２】
2016114659.tif 000004
【図３】
2016114659.tif 000005
【図４】
2016114659.tif 000006
【図５】
2016114659.tif 000007
【図６】
2016114659.tif 000008
【図７】
2016114659.tif 000009
【図８】
2016114659.tif 000010
【図９】
2016114659.tif 000011
【図１０】
2016114659.tif 000012
【図１１】
2016114659.tif 000013
【図１２】
2016114659.tif 000014
【図１３】
2016114659.tif 000015
【図１４】
2016114659.tif 000016
【図１５】
2016114659.tif 000017
【図１６】
2016114659.tif 000018
【図１７】
2016114659.tif 000019
【図１８】
2016114659.tif 000020
【図１９】
2016114659.tif 000021
【図２０】
2016114659.tif 000022
【図２１】
2016114659.tif 000023
【図２２】
2016114659.tif 000024
【図２３】
2016114659.tif 000025
【図２４】
2016114659.tif 000026
【図２５】
2016114659.tif 000027
【図２６】
2016114659.tif 000028
【図２７】
2016114659.tif 000029
【図２８】
2016114659.tif 000030